(57)【特許請求の範囲】
【請求項１】
相手側接触端子と接触する接触部、及び電線が接続される接続部を有する接触端子と、前記接触端子の前記接触部を収容する収容孔が形成されたハウジングとを備え、前記相手側接触端子の前記収容孔への挿入により、前記相手側接触端子と前記接触端子とが接触するコネクタと、
前記接触端子の前記接続部に接続された撚線からなる芯線、及び前記芯線を被覆する被覆部材を有する電線と、を備え、
前記接触端子の前記接触部は、前記相手側接触端子の前記収容孔への挿入方向に対して交差する方向へ移動可能に、前記収容孔に収容され、
前記電線は、前記接続部に接続される先端部と前記ハウジングに保持される被保持部との間に、前記芯線をほぐすことにより可撓性を高めた可撓部が形成された、
ワイヤハーネス。
【請求項２】
前記接触端子は、前記相手側接触端子が嵌合される嵌合部を前記接触部として有する雌端子であり、
前記相手側接触端子は、前記嵌合部に少なくとも一部が収容される雄端子である、
請求項１に記載のワイヤハーネス。
【請求項３】
前記接触端子の前記嵌合部は、板状に形成された前記相手側接触端子の接触面に直交する方向に、前記収容孔内で移動可能である、
請求項２に記載のワイヤハーネス。
【請求項４】
前記接触端子の前記嵌合部は、板状に形成された前記相手側接触端子の接触面に直交する第１の方向、ならびに前記第１の方向及び前記相手側接触端子の挿入方向に直交する第２の方向に、前記収容孔内で移動可能である、
請求項２又は３に記載のワイヤハーネス。
【請求項５】
前記接触端子は、前記嵌合部における前記相手側接触端子との接点に前記相手側接触端子を押し付けるばね部材を有している、
請求項２乃至４の何れか１項に記載のワイヤハーネス。
【請求項６】
前記接触端子は、前記嵌合部が前記相手側接触端子の挿入方向に沿って形成されると共に、前記接続部が前記挿入方向に対して交差する方向に延びるように屈曲して形成され、
前記ハウジングには、前記嵌合部に当接して前記雌端子の前記挿入方向への移動を規制する当接部が形成されている、
請求項２乃至５の何れか１項に記載のワイヤハーネス。
【請求項７】
前記接触端子は、雄端子であると共に、前記相手側接触端子は、雌端子である、
請求項１に記載のワイヤハーネス。
【請求項８】
前記ハウジングには、更に、前記電線を保持し、前記電線を収容する電線収容凹部を有する電線保持部が形成され、
前記収容孔の幅方向の中心軸と前記電線収容凹部の幅方向の中心軸とは、一致している
請求項１乃至７の何れか１項に記載のワイヤハーネス。
【発明の詳細な説明】
【技術分野】
【０００１】
本発明は、雌端子をハウジングに収容してなるコネクタ、及びそのコネクタを備えたワイヤハーネスに関する。
【背景技術】
【０００２】
従来、雄端子に接続される雌端子をハウジングに固定したコネクタが知られている（例えば、特許文献１参照）。
【０００３】
特許文献１に記載のコネクタは、Ｌ字状に形成された雌端子を有し、この雌端子が合成樹脂製のハウジングに収容されている。ハウジング及び雌端子は、内部を遮蔽状態に保つ金属製のシェルに収容されている。
【先行技術文献】
【特許文献】
【０００４】
【特許文献１】特開２００６−１４７３５３号公報
【発明の概要】
【発明が解決しようとする課題】
【０００５】
この種のコネクタは、例えばインバータやモータ等の機器側に設けられた、雄端子を有する雄側コネクタに接続される。この雄端子と雌端子とを嵌合する際、例えば雄端子の取り付け位置に誤差があると、両端子の接点における接触圧力が低下してしまい、端子間の良好な接触を得ることができない。また、例えばモータ等の振動が発生する機器又はその周辺にコネクタが接続された場合には、接触圧力の低下によって雄端子と雌端子との間に振動に伴う微摺動が発生し、これら両端子の接点に摩耗等が生じるおそれがあった。
【０００６】
そこで本発明は、雄端子側の取付位置の誤差を許容し、雄端子の取付位置に誤差があっても、雌端子との良好な接触を得ることができるコネクタ、及びワイヤハーネスを提供することを目的とする。
【課題を解決するための手段】
【０００７】
本発明は、上記課題を解決することを目的として、相手側接触端子と接触する接触部、及び電線が接続される接続部を有する接触端子と、前記接触端子の前記接触部を収容する収容孔が形成されたハウジングとを備え、前記相手側接触端子の前記収容孔への挿入により、前記相手側接触端子と前記接触端子とが接触するコネクタと、前記接触端子の前記接続部に接続された撚線からなる芯線、及び前記芯線を被覆する被覆部材を有する電線と、を備え、前記接触端子の前記接触部は、前記相手側接触端子の前記収容孔への挿入方向に対して交差する方向へ移動可能に、前記収容孔に収容され、前記電線は、前記接続部に接続される先端部と前記ハウジングに保持される被保持部との間に、前記芯線をほぐすことにより可撓性を高めた可撓部が形成された、ワイヤハーネスを提供する。
【０００８】
また、前記接触端子は、前記相手側接触端子が嵌合される嵌合部を前記接触部として有する雌端子であり、前記相手側接触端子は、前記嵌合部に少なくとも一部が収容される雄端子であるとよい。
【０００９】
また、前記接触端子の前記嵌合部は、板状に形成された前記相手側接触端子の接触面に直交する方向に、前記収容孔内で移動可能であるとよい。
【００１０】
また、前記接触端子の前記嵌合部は、板状に形成された前記相手側接触端子の接触面に直交する第１の方向、ならびに前記第１の方向及び前記相手側接触端子の挿入方向に直交する第２の方向に、前記収容孔内で移動可能であってもよい。
【００１１】
また、前記接触端子は、前記嵌合部における前記相手側接触端子との接点に前記相手側接触端子を押し付けるばね部材を有しているとよい。
【００１２】
また、前記接触端子は、前記嵌合部が前記相手側接触端子の挿入方向に沿って形成されると共に、前記接続部が前記挿入方向に対して交差する方向に延びるように屈曲して形成され、前記ハウジングには、前記嵌合部に当接して前記雌端子の前記挿入方向への移動を規制する当接部が形成されているとよい。
【００１３】
また、前記接触端子は、雄端子であると共に、前記相手方の端子は、雌端子であってもよい。
【００１５】
また、前記ハウジングには、更に、前記電線を保持し、前記電線を収容する電線収容凹部を有する電線保持部が形成され、前記収容孔の幅方向の中心軸と前記電線収容凹部の幅方向の中心軸とは、一致していてもよい。
【発明の効果】
【００１６】
本発明によれば、雄端子側の取付位置の誤差を許容し、雄端子の取付位置に誤差があっても、雌端子との良好な接触を得ることができる。
【図面の簡単な説明】
【００１７】
【図１】本発明の実施の形態に係るコネクタを示し、（ａ）は上面図、（ｂ）は正面図、（ｃ）は（ａ）のＡ−Ａ線断面図、（ｄ）は右側面図、（ｅ）は背面図である。
【図２】コネクタの内部構造を示し、（ａ）は背面図、（ｂ）は斜視図である。
【図３】第２ハウジング部材を示し、（ａ）は上面図、（ｂ）は正面図、（ｃ）は（ｂ）のＣ−Ｃ線断面図、（ｄ）は背面図、（ｅ）は斜視図である。
【図４】雌端子を示す斜視図である。
【図５】雌端子の嵌合部に収容されるばね部材の斜視図である。
【図６】雌端子に嵌合される雄端子を示す斜視図である。
【図７】雌端子と雄端子とが嵌合された状態を示し、（ａ）は、雌端子の嵌合部の中心軸線Ｃ1に沿った断面における断面図、（ｂ）は、中心軸線Ｃ1に直交する断面における断面図である。
【図８】図１のＢ−Ｂ線断面における雌端子及びその周辺部を示す断面図である。
【図９】（ａ）〜（ｃ）は、コネクタの組み立て手順の一例を示す説明図である。
【発明を実施するための形態】
【００１８】
［実施の形態］
以下、本発明の実施の形態に係るコネクタ及びワイヤハーネスを、図１〜図９を参照して説明する。このコネクタ及びワイヤハーネスは、例えば電気モータを走行用の駆動源として有する車両に搭載され、電気モータと、電気モータに三相交流電流を供給するインバータとの間を接続するために用いられる。すなわち、このコネクタは、電気モータ又はインバータに予め固定されたコネクタに接続される。
【００１９】
図１は、本発明の実施の形態に係るコネクタを示し、（ａ）は上面図、（ｂ）は正面図、（ｃ）は（ａ）のＡ−Ａ線断面図、（ｄ）は右側面図、（ｅ）は背面図である。図２は、コネクタの内部構造を示し、（ａ）は背面図、（ｂ）は斜視図である。
【００２０】
このコネクタ１は、接触端子の一例としての雌端子２と、雌端子２を収容するハウジング３０と、雌端子２及びハウジング３０を収容する金属製のシェル４０とを備えている。本実施の形態では、ハウジング３０に３つの雌端子２が収容されている。３つの雌端子２には、３本の電線５がそれぞれ接続されている。３本の電線５は、ハウジング３０内において、それぞれ直線状になっている。コネクタ１及び３本の電線５は、ワイヤハーネス１０を構成する。
【００２１】
ハウジング３０は、３本の電線５を挟んで互いに対向する第１ハウジング部材３１と第２ハウジング部材３２とからなる。第１ハウジング部材３１及び第２ハウジング部材３２は、例えばＰＢＴ（Polybutylene terephthalate：ポリブチレンテレフタレート）等の絶縁性の樹脂からなる。また、ハウジング３０には、電線５を保持する電線保持部３１０,３２０が形成されている。電線５は、第１ハウジング部材３１の電線保持部３１０と第２ハウジング部材３２の電線保持部３２０との間に挟持され、保持されている。電線保持部３１０，３２０は、それぞれ電線５の一部を収容する３つの電線収容凹部３１０ａ，３２０ａを有している。
【００２２】
シェル４０は、第１ハウジング部材３１側の第１シェル部材４１と、第２ハウジング部材３２側の第２シェル部材４２とからなる。第１シェル部材４１及び第２シェル部材４２は、例えばアルミニウム等の導電性の金属からなる。第１シェル部材４１と第１ハウジング部材３１との間には、Ｏリング６１が配置されている。
【００２３】
また、シェル４０は、第１シェル部材４１が３つの雌端子２及びハウジング３０を収容し、平板状の第２シェル部材４２によって第１シェル部材４１の開口を覆うように構成されている。図２（ａ）及び（ｂ）では、コネクタ１から第２シェル部材４２及び第２ハウジング部材３２を取り外した状態を示している。
【００２４】
第１シェル部材４１と第２シェル部材４２とは、複数（本実施の形態では４本）のボルト４３によって固定されている。また、第１シェル部材４１には、外方に突出するボルト保持部４１０が３箇所に形成され、各ボルト保持部４１０には、インバータ等の機器側にコネクタ１を固定するためのボルト４４が回転可能に保持されている。
【００２５】
雌端子２は、相手側接触端子の一例としての雄端子７（後述）が嵌合される嵌合部２１と、電線５の芯線５１の一端がそれぞれ接続される電線接続部２３と、嵌合部２１と電線接続部２３とを連結する連結部２２と、を一体に有している。嵌合部２１は、雄端子７と接触する接触部の一例である。
【００２６】
第１ハウジング部材３１には、３つの雌端子２の嵌合部２１をそれぞれ収容する３つの収容孔３１１が形成されている。これらの３つの収容孔３１１は、直線状に並列して形成されている。また、各収容孔３１１は、第２ハウジング部材３２に対向する平面状の底面３１ａに直交する方向に沿って延びる筒部を有する有底筒状に形成され、その底部には、後述する雄端子７の接触部７１を挿通させるスリット状の開口３１１ａがそれぞれ形成されている。
【００２７】
第１ハウジング３１の収容孔３１１の幅方向（図２における左右方向）の中心軸と電線収容凹部３１０ａの幅方向（図２における左右方向）の中心軸とは、略一致し、更にこれら中心軸は、電線５の軸と一致する。ここで、「一致」とは、完全に一致する場合のみをいうものではなく、多少ずれている場合（例えば、５ｍｍ程度）も含むものとする。
【００２８】
第１シェル部材４１には、第１ハウジング部材３１の各収容孔３１１に収容された雌端子２の嵌合部２１を挿通させる第１の筒部４１１が形成されている。第１の筒部４１１の外周面には、環状のシール部材６２が保持されている。また、第１の筒部４１１の先端面には、樹脂製のカバー部材６３が係止されている。
【００２９】
また、第１シェル部材４１には、３本の電線５を挿通させる第２の筒部４１２が形成されている。第２の筒部４１２には、３本の電線５をそれぞれ挿通させる３つの挿通孔４１２ａが形成されている。挿通孔４１２ａは、その軸方向が第２シェル部材４２と平行に形成されている。また、挿通孔４１２ａの軸方向と第１の筒部４１１の突出方向とは互いに直交している。つまり、直方体形状のシェル４０における６つの面のうち、挿通孔４１２ａが形成された面と第２シェル部材４２とが互いに直交している。また、第１の筒部４１１が形成された面は、挿通孔４１２ａが形成された面と互いに直交し、かつ第２シェル部材４２に対向している。
【００３０】
各挿通孔４１２ａには、電線５の外周面と挿通孔４１２ａの内周面との間を封止するシール部材６４が収容されている。各シール部材６４は、第２の筒部４１２に係止されたカバー部材６５によって抜け止めされている。なお、図２（ｂ）では、第２の筒部４１２にシール部材６４及びカバー部材６５を取り付ける前の状態を示している。
【００３１】
電線５は、芯線５１、及び芯線５１を被覆する被覆部材５２を有している。芯線５１は、複数の導体素線を撚り合わせた複数の子撚線を、さらに撚り合わせて形成された撚線（親撚線）である。
【００３２】
第１ハウジング部材３１の電線保持部３１０及び第２ハウジング部材３２の電線保持部３２０は、電線５の被覆部材５２の外周を保持している。また、電線保持部３１０，３２０に保持された部分よりも先端側では、被覆部材５２が除去されて芯線５１が露出している。
【００３３】
雌端子２の電線接続部２３に接続された電線５の先端部５ａと、電線保持部３１０，３２０に保持された被保持部５ｂとの間には、芯線５１の撚りをほぐすことにより可撓性を高めた可撓部５ｃが形成されている。この可撓部５ｃは、撚り（子撚り及び親撚りのうち、少なくとも親撚りの一部）がほぐされることにより、図２先端部５ａ及び被保持部５ｂよりもその外径が膨らんでいる。この可撓部５ｃが形成されていることにより、電線５の先端部５ａと被保持部５ｂとが電線５の軸（長手）方向に相対移動可能となっている。すなわち、端子２の嵌合部２１は、被保持部５ｂに対して電線５の軸（長手）方向に相対移動可能となっている。これにより、嵌合部２１は、雄端子７に沿って移動しやすくなっている。また、可撓部５ｃが形成されていることにより、嵌合部２１は、被保持部５ｂに対して電線５の軸（長手）方向に交差する方向にも相対移動可能となっている。更に、嵌合部２１が被保持部５ｂに対して電線５の軸（長手）方向及び軸（長手）方向に交差する方向に相対移動可能となっていることにより、嵌合部２１は、電線５の軸（長手）方向に交差（直交）する方向を軸とした回転も可能となっている。
【００３４】
可撓部５ｃは、その中央部が第１ハウジング部材３１の底面３１ａから離間するように湾曲している。これにより、嵌合部２１は、被保持部５ｂに対して電線５の軸（長手）方向に容易に相対移動できるようになる。
【００３５】
また、図１に示すように、第２の筒部４１２には、電線５から放射される電磁波を遮蔽するためのシールド線６６が、帯状のクランプ部材６７によって固定されている。
【００３６】
図３は、第２ハウジング部材３２を示し、（ａ）は上面図、（ｂ）は正面図、（ｃ）は（ｂ）のＣ−Ｃ線断面図、（ｄ）は背面図、（ｅ）は斜視図である。
【００３７】
第２ハウジング部材３２には、第１ハウジング部材３１の底面３１ａに対向する底面３２ａに直交するように、当接部３２１が形成されている。当接部３２１は、底面３２ａから第１ハウジング部材３１側に向かって立設して形成されている。この当接部３２１は、その先端面３２１ａが、図１（ｃ）に示すように、雌端子２の嵌合部２１の一端面（開口３１１ａとは反対側の端面）に対向している。そして、当接部３２１は、先端面３２１ａが嵌合部２１に当接することで、雌端子２の一方向（後述する雄端子７との嵌合方向）への移動を規制している。
【００３８】
また、第２ハウジング部材３２には、当接部３２１に連続して、３つ３の雌端子２の収容空間を区画する２つの壁部３２２が形成されている。壁部３２２は、当接部３２１の長手方向に対して直交する方向に延びるように形成されている。
【００３９】
（雌端子及び雄端子の構成）
図４は、雌端子２を示す斜視図である。図５は、雌端子２の嵌合部２１に収容されるばね部材２４の斜視図である。図６は、雌端子２に嵌合される雄端子７を示す斜視図である。
【００４０】
図４に示すように、雌端子２は、一端に雄端子７が嵌合される嵌合部２１を有し、他端に電線５の先端部５ａが接続される電線接続部２３を有し、嵌合部２１と電線接続部２３とが連結部２２によって連結されている。雌端子２の材料としては、例えば、炭素鋼、ステンレス鋼、銅、銅合金等の導電性の金属を用いることができる。また、雌端子２の表面を錫等によってメッキしてもよい。
【００４１】
嵌合部２１は、内部に雄端子７が挿入される筒状であり、雄端子７との嵌合方向に沿って形成されている。嵌合部２１は、四辺が底部２１１、一対の側部２１２，２１３、及び天井部２１４から形成された断面矩形状である。より具体的には、底部２１１、一対の側部２１２，２１３、及び天井部２１４は、それぞれ平板状に形成され、底部２１１と天井部２１４が対向し、底部２１１と一対の側部２１２，２１３との間、及び天井部２１４と一対の側部２１２，２１３との間が連結されている。
【００４２】
また、嵌合部２１には、ばね部材２４の４つの爪部２４１がそれぞれ係止される４つの開口２１ａが、天井部２１４と一対の側部２１２，２１３との角部に形成されている。また、底部２１１には、嵌合部２１の内側に長手方向に沿って延びる一対の突条２１１ｂが形成されている。
【００４３】
電線接続部２３は、長円状に扁平した管状であり、例えばかしめによって電線５の先端部５ａが圧着される。雌端子２は、嵌合部２１の中心軸線Ｃ1と電線接続部２３の中心軸線Ｃ2とが互いに直交して交差するように形成されている。つまり、雌端子２は、嵌合部２１が雄端子７との嵌合方向に沿って形成されると共に、電線接続部２３が雄端子７との嵌合方向に対して交差する方向に延びるように形成されている。
【００４４】
図５に示すように、ばね部材２４は、緩やかに湾曲して形成された湾曲部２４０と、雌端子２の開口２１ａに係止される４つのＬ字状の爪部２４１と、湾曲部２４０と爪部２４１とを連結する連結部２４２とを一体に有する。湾曲部２４０はさらに、湾曲方向の中央部にあたる頂部２４０ａと、頂部２４０ａを挟んで互いに逆方向に傾斜する一対の傾斜部２４０ｂとを有する。
【００４５】
ばね部材２４の材料としては、例えば、ステンレス鋼、リン青銅、ベリリウム銅等の金属材料、又はゴム等の非金属材料を用いることができる。
【００４６】
図６に示すように、雄端子７は、雌端子２の嵌合部２１に挿入される接触部７１を一端に有し、インバータ等の機器の内部配線に電気的に接続される機器接続部７２を他端に有している。接触部７１、機器接続部７２は、一枚の板材から形成されている。雄端子７は、その一部である接触部７１が嵌合部２１に収容されることにより、雌端子２と接触する。つまり、第１ハウジング部材３１の収容孔３１１への雄端子７の挿入により、雄端子７と雌端子２とが接触する。雄端子７（接触部７１）の収容孔３１１への挿入方向は、接触部７１と嵌合部２１との嵌合方向と同義である。
【００４７】
接触部７１は、平板状の底部７１１、及び底部７１１に対して直交するように折り曲げられ、互いに対向する板状の一対の起立部７１２，７１３から形成された断面コ字状である。また、接触部７１の先端部７１ａは、厚さ方向において先細なテーパ状に形成されている。起立部７１２，７１３の内面間の幅Ｗ1は、ばね部材２４の湾曲部２４０の幅Ｗ2（図５参照）よりも大きな寸法に設定されている。
【００４８】
機器接続部７２は、機器の内部配線に電気的に接続されると共に機器にボルトで締結して固定するための機器接続穴７２ａが形成された平板状である。
【００４９】
図７は、雌端子２と雄端子７とが嵌合された状態を示し、（ａ）は、雌端子２の嵌合部２１の中心軸線Ｃ1に沿った断面における断面図、（ｂ）は、中心軸線Ｃ1に直交する断面における断面図である。
【００５０】
雌端子２と雄端子７とは、雄端子７の接触部７１が雌端子２の嵌合部２１に挿入されて嵌合される。雄端子７の接触部７１は、底部７１１の一方の平面７１１ａにばね部材２４の湾曲部２４０の頂部２４０ａが接触し、ばね部材２４の弾性力によって、底部７１１の他方の平面７１１ｂが嵌合部２１の底部２１１に形成された一対の突条２１１ｂに押し付けられている。つまり、底部７１１の他方の平面７１１ｂは、雌端子２の嵌合部２１（底部２１１）に接触する接触面であり、平面７１１ｂと突条２１１ｂとの接触部が、雌端子２と雄端子７との接点である。
【００５１】
また、雌端子２は、雄端子７との嵌合方向（矢印Ａの方向）に沿った嵌合部２１の延伸方向と電線接続部２３の延伸方向とが直交するように形成されたＬ字状である。嵌合部２１の延伸方向における天井部２１４の一端面（雄端子７０が挿入される側とは反対側の端面）２１４ｂは、コネクタ１の内部にて、第２ハウジング部材３２の当接部３２１の先端面３２１ａ（図１参照）に接触する。当接部３２１の先端面３２１ａは、雄端子７との嵌合方向に対して直交するように形成されている。
【００５２】
図８は、図１のＢ−Ｂ線断面における雌端子２及びその周辺部を示す断面図である。
【００５３】
図８に示すように、雌端子２の底部２１１の外面２１１ａ及び天井部２１４の外面２１４ａに直交する高さ方向における嵌合部２１の寸法Ｈ1は、第１ハウジング部材３１の収容孔３１１の内面３１１ｂにおける同方向の寸法Ｈ2よりも小さく形成されている。また、雌端子２の一対の側部２１２，２１３の外面２１２ａ，２１３ａに直交する幅方向における嵌合部２１の寸法Ｗ3は、第１ハウジング部材３１の第１の収容孔３１１の内面３１１ｂにおける同方向の寸法Ｗ4よりも小さく形成されている。ここで、上記高さ方向は、雄端子７の底部７１１の平面７１１ｂに直交する第１の方向（矢印Ｂの方向）であり、上記幅方向は、第１の方向及び雌端子２と雄端子７との嵌合方向に直交する第２の方向（矢印Ｃの方向）である。
【００５４】
雌端子２の嵌合部２１の外面２１１ａ，２１２ａ，２１３ａ，２１４ａと収容孔３１１の内面３１１ｂとの間には、寸法Ｈ1と寸法Ｈ2との差に応じた第１の方向の隙間Ｓ1、及び寸法Ｗ3と寸法Ｗ4との差に応じた第２の方向の隙間Ｓ2が形成されている。つまり、雌端子２の嵌合部２１は、収容孔３１１に、遊びをもって嵌め合いされている。すなわち、雌端子２の嵌合部２１は収容孔３１１に遊嵌されている。これにより、雌端子２の嵌合部２１は、収容孔３１１内で、第１の方向及び第２の方向に移動可能である。
【００５５】
また、寸法Ｈ1と寸法Ｈ2との差、及び寸法Ｗ3と寸法Ｗ4との差は、０．２〜０．６ｍｍであるとよい。この場合、雌端子２の嵌合部２１が収容孔３１１の中央部に位置しているとすると、第１の方向における一方の隙間Ｓ1の寸法、及び第２の方向における一方の隙間Ｓ2の寸法は、０．１〜０．３ｍｍとなる。本実施の形態では、寸法Ｈ1と寸法Ｈ2との差、及び寸法Ｗ3と寸法Ｗ4との差が０．４ｍｍ（隙間Ｓ1の寸法及び隙間Ｓ2の寸法が０．２ｍｍ）に設定されている。
【００５６】
雄端子７の接触部７１は、収容孔３１１の底部に形成された開口３１１ａ（図１参照）を介して雌端子２の嵌合部２１に挿入される。開口３１１ａは、ばね部材２４の湾曲部２４０における傾斜部２４０ｂに対して嵌合方向に対向する位置、又は湾曲部２４０の頂部２４０ａと嵌合部２１の突条２１１ｂとの間の位置に嵌合方向に対向する位置に形成されている。
【００５７】
これにより、接触部７１が湾曲部２４０の頂部２４０ａと嵌合部２１の突条２１１ｂとの間に進入した場合には、雌端子２の嵌合部２１が第１の方向に大きく移動することなく、雌端子２と雄端子７との嵌合が完了する。また、接触部７１が湾曲部２４０の傾斜部２４０ｂに当接した場合には、雌端子２が雄端子７に対して第１の方向に相対移動して、雄端子７の接触部７１が湾曲部２４０の頂部２４０ａと嵌合部２１の突条２１１ｂとの間に案内される。
【００５８】
また、雌端子２の嵌合部２１は、ばね部材２４の湾曲部２４０が、雄端子７の接触部７１における一対の起立部７１２，７１３の間に案内されるように、雄端子７に対して第２の方向に相対移動可能である。
【００５９】
（コネクタ１の組み立て手順）
次に、コネクタ１の組み立て手順について、図９を参照して説明する。図９（ａ）〜（ｃ）は、コネクタ１の組み立て手順の一例を示す説明図である。
【００６０】
コネクタ１の組み立てでは、図９（ａ）に示すように、まず第１シェル部材４１に第１ハウジング部材３１、シール部材６２、及びカバー部材６３を順次組み付ける。この組み付けが完了した状態を図９（ｂ）に示す。
【００６１】
次に、第１ハウジング部材３１の３つの収容孔３１１に、電線５が電線接続部２３に接続された雌端子２の嵌合部２１を挿入する。なお、嵌合部２１の収容孔３１１への挿入前に、予め電線５の芯線５１をほぐして可撓部５ｃを形成しておく。
【００６２】
次に、第１シェル部材４１に第２ハウジング部材３２及びＯリング６１を収容し、第２シェル部材４２をボルト４３によって第１シェル部材４１に固定する。そして、シールド線６６をクランプ部材６７によって第１シェル部材４１の第２の筒部４１２に固定してコネクタ１の組み立てを完了する。
【００６３】
（実施の形態の作用及び効果）
以上説明した実施の形態によれば、以下のような作用及び効果が得られる。
【００６４】
（１）雌端子２の嵌合部２１は、第１ハウジング部材３１の収容孔３１１内で移動可能であるので、雄端子７のインバータ等の機器側への取付位置に誤差があっても、嵌合部２１が雄端子７にならうように収容孔３１１内で移動する。これにより、雌端子２と雄端子７との良好な接触を得ることができる。
【００６５】
（２）特に、雌端子２の嵌合部２１は、収容孔３１１内で第１の方向（図８の矢印Ｂ方向）に移動可能であるので、板状の雄端子７がその厚さ方向に傾き、もしくは曲がっていたとしても、嵌合部２１が雄端子７に沿って移動及び傾動することができ、雄端子７との良好な接触を得ることができる。
【００６６】
（３）また、雌端子２の嵌合部２１は、収容孔３１１内で第２の方向（図８の矢印Ｃ方向）にも移動可能であるので、板状の雄端子７がその厚さ方向及び厚さ方向に直交する方向に傾き、もしくは曲がっていたとしても、嵌合部２１が雄端子７に沿って移動及び傾動することができ、雄端子７との良好な接触を得ることができる。
【００６７】
（４）雌端子２は、嵌合部２１の内部にばね部材２４を有しているので、雄端子７がばね部材２４の弾性によって嵌合部２１の底部２１１（突条２１１ｂ）に押し付けられる。また、雄端子７の接触部７１がばね部材２４の傾斜部２４０ｂに接触すると、傾斜部２４０ｂの傾斜に沿って雄端子７と雌端子の嵌合部２１とが相対移動し、雄端子７の接触部７１がばね部材２４の頂部２４０ａと底部２１１の突条２１１ｂとの間に案内される。これにより、雄端子７との良好な接触を得ることができる。
【００６８】
（５）雄端子７との嵌合時における雌端子２の嵌合方向への移動は、第２ハウジング部材３２の当接部３２１との当接によって規制される。当接部３２１の先端面３２１ａは、雄端子７と雌端子２との嵌合方向に対して直交するように形成されているので、先端面３２１ａへの接触によって雌端子２の嵌合部２１の嵌合方向に直交する方向への移動が妨げられることがない。これにより、嵌合部２１が雄端子７にならって自由に移動することができ、雌端子２と雄端子７との良好な接触を得ることができる。
【００６９】
（６）電線５には、撚線のほぐしによる可撓部５ｃが形成されているので、撚線のほぐしを行わない場合に比較して、嵌合部２１がより柔軟に動くことができる。これにより、雄端子７の取り付け部位への荷重による負担を低減しながら、雄端子７と雌端子２との良好な接触を得ることができる。また、電線５の一部に撚線のほぐしによる可撓部５ｃが形成されているので、部品点数を増加することなく、可撓部５ｃの可撓性を高めることができる。更に、収容孔３１１に対する嵌合部２１の位置を容易に調整でき、嵌合部２１を収容孔３１１に容易に収容することができる。
【００７０】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７１】
また、上記実施の形態では、コネクタ１が３つの雌端子２を有する場合について説明したが、これに限らず、雌端子２の数は１つでもよい。なお、本発明は、個々の雌端子２が収容孔３１１内で自由に移動することができるよう、複数の雌端子２を有するコネクタ及びワイヤハーネスに特に有効である。
【００７２】
また、上記実施の形態では、電線５の芯線５１が撚線からなる場合について説明したが、これに限らず、芯線５１が単線であってもよい。この場合、単線からなる芯線を例えばコネクタ内で湾曲させることにより、可撓部５ｃを形成することができる。
【００７３】
更に、上記実施の形態では、接触端子として雌端子２、相手方の端子として雄端子７を用いたが、接触端子として雄端子７、相手方の端子として雌端子２を用いることも可能である。また、相手方の端子として機器のバスバーを用い、接触端子としてバスバーにボルト締めされる板状の端子を用いることも可能である。
【符号の説明】
【００７４】
１…コネクタ、２…雌端子（接触端子）、５…電線、５ａ…先端部、５ｂ…被保持部、５ｃ…可撓部、７…雄端子（相手側接触端子）、１０…ワイヤハーネス、２１…嵌合部（接触部）、２１ａ…開口、２２…連結部、２３…電線接続部（接続部）、２４…ばね部材、３０…ハウジング、３１…第１ハウジング部材、３１ａ…底面、３２…第２ハウジング部材、３２ａ…底面、４０…シェル、４１…第１シェル部材、４２…第２シェル部材、４３，４４…ボルト、５１…芯線、５２…被覆部材、６１…リング、６２…シール部材、６３…カバー部材、６４…シール部材、６５…カバー部材、６６…シールド線、６７…クランプ部材、７０…雄端子、７１…接触部、７１ａ…先端部、７２…機器接続部、７２ａ…機器接続穴、２１１…底部、２１１ａ，２１２ａ，２１３ａ，２１４ａ…外面、２１１ｂ…突条、２１２，２１３…側部、２１４…天井部、２４０…湾曲部、２４０ａ…頂部、２４０ｂ…傾斜部、２４１…爪部、２４２…連結部、３１０…電線保持部、３１１…収容孔、３１１ａ…開口、３２０…電線保持部、３２１…当接部、３２１ａ…先端面、３２２…壁部、４１０…ボルト保持部、４１１…第１の筒部、４１２…第２の筒部、４１２ａ…挿通孔、７１１…底部、７１１ａ…平面、７１１ｂ…平面、７１２，７１３…起立部
【図１】
0005751194.tif 000002
【図２】
0005751194.tif 000003
【図３】
0005751194.tif 000004
【図４】
0005751194.tif 000005
【図５】
0005751194.tif 000006
【図６】
0005751194.tif 000007
【図７】
0005751194.tif 000008
【図８】
0005751194.tif 000009
【図９】
0005751194.tif 000010